【事件の表示】
　平成９年特許願第２６８６０８号「表面実装用パッケージとその製造方法」拒絶査定に対する審判事件［平成１０年７月３１日出願公開、特開平１０−２０００２４］について、次のとおり審決する。
【結　論】
　本件審判の請求は、成り立たない。
【理　由】
［１］手続の経緯
　本願は、平成９年１０月１日（パリ条約による優先権主張１９９６年１０月１日、米国）の出願であって、平成１３年１月２４日付で拒絶査定がなされ、これに対し、同年４月１６日に拒絶査定に対する審判請求がなされるとともに、同日付で手続補正がなされたものである。
 
［２］平成１３年４月１６日付手続補正についての補正却下の決定
　
＜補正却下の決定の結論＞
　平成１３年４月１６日付手続補正を却下する。
　
＜理由＞
（１）補正後の本願発明
　本件補正により、特許請求の範囲の請求項１０、１１を削除するとともに、請求項１を以下のとおりに補正したものである。
　「【請求項１】成形ハウジングに封止された、半導体装置を支持する導電性リードフレームであって、
　上面と下面とを有し、前記上面で半導体ダイを支持し、前記上面とは反対側の前記下面が表面実装のために前記成形ハウジングから外部に露現していると共に、その縁部から成形ハウジング（請求項１に記載の「成形ハウジグ」は「成形ハウジング」の誤記と認める。）の外方へと延出する部分を有する主パッド部と、
　前記主パッド部の反対縁に沿って（請求項１に記載の「反対縁の沿って」は「反対縁に沿って」の誤記と認める。）配置され、前記成形ハウジングから外方に延在する部分と、その幅よりも大きい幅を有するボンディングパッド部とを備えた少なくとも二個の独立したピンと、
　前記ピンの間において前記成形ハウジングに形成したスロットとからなり、
　前記ピンはそれぞれ前記主パッド部と同一厚みを有すると共に、前記成形ハウジング内にその曲折部を有しており、前記ボンディングパッド部は前記主パッド部から盛り上がっており、また、前記成形ハウジングから外方に延出する部分が前記主パッド部と共通する高さにあることを特徴とする導電性リードフレーム。」
　
　上記補正の内、請求項１０、１１の削除は特許法第１７条の２第４項第１号に規定する請求項の削除を目的とするものに該当し、上記補正の内、請求項１の補正は、請求項１に係る発明を特定するために必要な事項である「成形ハウジングから露現している・・・主パッド部」について、「露現している」を「外部に露現している」に限定したものであり、また、請求項１に係る発明を特定するために必要な事項である「成形ハウジングから外方に延在する部分と、ボンディングパッド部とを有する少なくとも二個の独立ピンとからなり」について、「ボンディングパッド部」を「その幅よりも大きい幅を有するボンディングパッド部」に限定するとともに、「有する」を「備えた」に、「独立ピンとからなり」を「独立ピンと」に表現を替え、さらに、請求項１に係る発明を特定するために必要な事項であるとして、「前記ピンの間において前記成形ハウジングに形成したスロットからなり、」を附加したものであって、特許法第１７条の２第４項第２号に規定する特許請求の範囲の減縮及び同条同項第４号に規定する明りょうでない記載の釈明を目的とするものに該当する。
　
（２）独立特許要件
　そこで、本件補正後の上記請求項１に係る発明（以下、「補正後の本願発明１」という。）が特許出願の際独立して特許を受けることができるものであるか否かについて以下検討する。
　
（２−１）補正後の本願発明１
　補正後の本願発明１は、平成１２年１０月２４日付手続補正書及び平成１３年４月１６日付手続補正書により補正された明細書及び図面の記載からみて、その特許請求の範囲の請求項１に記載された事項により特定される、上記［２］（１）に記載されたとおりのものである。
　
（２−２）刊行物に記載された事項
　これに対し、原査定の拒絶の理由２に引用された刊行物の特開昭６０−１８３７５５号公報（以下、「引用例」という。）には、高周波高出力トランジスタに関する発明が第３〜５図とともに開示され、さらに以下の技術的事項が記載されている。
　
　「第３図に示すように、略矩形形状のレジンパッケージ９の一側から平行に２本のリード１３を突出させた構造となっている。・・・また、このエミッタリード１０とベースリード１１との中間の延長上には幅広のヘッダ８が配設されている。このヘッド８の主面（上面）にはチップ（トランジスタ素子）７が固定されている。エミッタ・ベースリード１０，１１のレジンパッケージ９の内部に延在する内端は途中で上方に一段折れ曲がり、その先端をヘッダ８の一段上方に臨ませている。そして、これら先端部とチップ７の対応する図示しない電極部はワイヤ１４で電気的に接続している。また、ヘッダ８のリード１３に対面しない他端部分はレジンパッケージ９の一側から突出している。なお、このトランジスタは面実装型であることから、ヘッダ８およびリード１３の最下面は同一面となり、レジンパッケージ９から露出している。また、ヘッダ８のリード１３に対面する一端部からは細く短い突片１５が突出している。この突片１５は上方に階段状に一段折れ曲がっていて、ヘッダ８がレジンパッケージ９から抜けたり、あるいはヘッダ８とレジン派ケージ９とが外力によって相互に剥離したりしないようになっている。・・・
　・・・この実施例で用いるリードフレーム１６は、第５図で示すように、一対の平行に延在する２本の細い外枠１７と、この外枠１７を定間隔個所で連結する内枠１８と、外枠１７および内枠１８とによって囲まれる領域内に配置されるリード１３およびヘッダ８とからなっている。リード１３は一方の外枠１７の内側から内枠１８に沿って平行に２本延在している。これらリード１３の中間位置の延長上には幅広のヘッダ８が位置している。このヘッダ８は他方の外枠１７の内側から突出する細い支持片１９によって支持されている。また、このヘッダ８はその他端中央から細い突片１５を突出させている。この突片１５はその付け根部分で上方に階段状に一段延びている。・・・なお、前記突片１５はたとえば、従来におけるコレクタリードの一部と考えてもよい。したがって、この突片１５はたとえば長く、一方の外枠１７と繋がっていて、後述するレジンモールド前に切断除去されるようであってもよい。また、このヘッダ８はその主面（上面）に半導体素子（チップ）７を固定するようになっている。・・・
　一方、一対のリード１３・・・は途中で一段折れ曲がりその先端はヘッダ８の他端上方に位置している。」（３頁左上欄９行〜４頁左上欄１０行）
　「つぎに、このようなリードフレーム１６を用いて、トランジスタを組立てる方法について説明する。まず、最初にヘッダ８の主面にチップ７が半田等の接合材によって接合される。その後、チップ７の電極とエミッタリード１０およびベースリード１１の先端とはワイヤ１４によって電気的に接続される。その後、このリードフレーム１６はトランスファ　レジンモールド装置によってレジンモールドされる。この際、リードフレーム１６はその下面がモールド下型のパーティング面に載るようにしてモールドされるため、ヘッダ８およびリード１３の下面はレジンパッケージ９の下面から露出する。なお、レジンパッケージ９はリード１３の内端部、ヘッダ８の一部、チップ７、ワイヤ１４に亘る領域を被う。つぎに、前記ダム片２０は切断除去され、ヘッダ８は支持片１９の付け根から切断され、リード１３は所定部で切断され、ヘッダ８の一面が露出したトランジスタが製造される。」（４頁左上欄１９行〜 右上欄１７行）
　「リードフレームはヘッダの突片が外枠に連結状態となっていてもよい。この場合、突片はあらかじめレジンモールド前には外枠から切断しておき、レジンモールドによって形成されるレジンパッケージによって内部に奥深く被われるようにすることによって、前記実施例と同様な効果が得られる。」（４頁右下欄３〜９行）
　
（３）対比・判断
　補正後の本願発明１と引用例に記載の発明とを対比すると、引用例に記載の「レジンパッケージ」、「チップ」、「ヘッダ」、及び「リード」は、補正後の本願発明１の「成形ハウジング」、「半導体ダイ」、「主パッド部」、及び「ピン」に相当する。
　そして、引用例に記載のヘッダは、リードとともにリードフレームから構成され、このヘッダの下面がレジンパッケージの下面から外部に露出しており、第３、５図の記載からみて、ヘッダの縁部から外方へフレームの外枠の内側まで延出して、ヘッダを支持する支持片を有していることは明らかである。
　さらに、２本のリードは、ヘッダとともにリードフレームにより構成されていることからみて、ヘッダと同一厚みを有し、しかも、第３、５図の記載からみて、レジンパッケージ内で折れ曲がり、その先端部はヘッダから盛り上がっており、レジンパッケージから外方に延出する部分がヘッダと共通する高さにあることは明らかである。
　してみると、両者は、補正後の請求項１の記載に沿って記載すると、「成形ハウジングに封止された、半導体装置を支持する導電性リードフレームであって、上面と下面とを有し、前記上面で半導体ダイを支持し、前記上面とは反対側の前記下面が表面実装のために前記成形ハウジングから外部に露現していると共に、その縁部から成形ハウジングの外方へと延出する部分を有する主パッド部と、前記主パッド部の反対縁に沿って配置され、前記成形ハウジングから外方に延在する部分を備えた二個の独立したピンと、前記ピンはそれぞれ前記主パッド部と同一厚みを有すると共に、前記成形ハウジング内にその曲折部を有しており、前記ボンディングパッド部は前記主パッド部から盛り上がっており、また、前記成形ハウジングから外方に延出する部分が前記主パッド部と共通する高さにある導電性リードフレーム。」の点で一致するものの、以下の点で相違する。
　
　相違点１：補正後の本願発明１は、ピンの幅よりも大きい幅を有するボンディングパッド部を備えているのに対し、引用例に記載の発明はこのようなものを備えていない点。
　相違点２：補正後の本願発明１は、ピンの間において成形ハウジングにスロットを形成したのに対し、引用例に記載の発明はこのようなものを形成していない点。
　
　そこで、上記相違点１、２ついて検討する。
　相違点１について：樹脂封止半導体装置において、成形ハウジング内のリードの先端部と半導体ダイとをワイヤで接続する場合に、リードの先端部をリードの幅よりも大きい幅に形成してワイヤをボンディングすることは、本願出願前周知の技術にすぎない（必要ならば、特開平８−６４７３６号公報、特開平５−３０４２４５号公報参照。）から、引用例に記載のワイヤをボンディングするリードの先端部をその幅よりも大きい幅に形成して補正後の本願発明１の相違点１とする程度のことは、上記周知の技術から容易に想到することができたものである。
　相違点２について：樹脂封止半導体装置において、リード間にある成形ハウジングに凹凸を形成することにより、リード間の沿面距離を大きくして漏電を防止することは、本願出願前周知の技術にすぎない（必要ならば、特開平８−９７３３３号公報、実開平２−６２７２７号公報参照。）から、引用例に記載の２本のリード間にあるレジンパッケージにスロットを形成して補正後の本願発明１の相違点２とする程度のことは、上記周知の技術から容易に想到することができたものである。
　
　そして、補正後の本願発明１の、ボンディングパッドの幅を大きくすることにより複数本のワイヤをボンディングすることができるので、接続に伴う抵抗を減らすことができ、またスロットを設けることによりピン間の沿面距離を大きくすることができるので、漏電電流を可及的に減少することができる等の上記相違点１、２に基づく作用効果も格別顕著なものとは認められない。
　
　したがって、補正後の本願発明１は、引用例に記載された発明に基づいて当業者が容易に発明をすることができたものであるから、特許法第２９条第２項の規定により特許を受けることができない。
　
（４）むすび
　以上のとおりであるから、本件補正は特許法第１７条の２第５項で準用する同法第１２６条第４項の規定に違反するものであり、特許法第１５９条第１項で準用する特許法第５３条第１項の規定により却下されるべきものである。
　
［３］本願発明
　平成１３年４月１６日付け手続補正は上記のとおり却下されたので、本願請求項１〜９に係る発明（以下、「本願発明１〜９」という。）は、平成１２年１０月２４日付手続補正書により補正された明細書及び図面の記載からみて、その特許請求の範囲の請求項１〜９に記載された事項により特定されるとおりのものと認められるところ、その内の本願発明１は次のとおりである。
　
　「【請求項１】成形ハウジングに封止された、半導体装置を支持する導電性リードフレームであって、
　上面と下面とを有し、前記上面で半導体ダイを支持し、前記上面とは反対側の前記下面が表面実装のために前記成形ハウジングから露現していると共に、その縁部から成形ハウジングの外方へと延出する部分を有する主パッド部と、
　前記主パッド部の反対縁に沿って（請求項１に記載の「反対縁の沿って」は「反対縁に沿って」の誤記と認める。）配置され、前記成形ハウジングから外方に延在する部分とボンディングパッド部とを備えた少なくとも二個の独立したピンとからなり、
　前記ピンはそれぞれ前記主パッド部と同一厚みを有すると共に、前記成形ハウジング内にその曲折部を有しており、前記ボンディングパッド部は前記主パッド部から盛り上がっており、また、前記成形ハウジングから外方に延出する部分が前記主パッド部と共通する高さにあることを特徴とする導電性リードフレーム。」
　
［４］引用例に記載の事項
　原査定の拒絶の理由に引用された引用例に記載された事項は、上記「［２］（２−２）」に記載したとおりである。
　
［５］対比・判断
　本願発明１は、上記「［２］」において検討した補正後の本願発明１から、「成形ハウジングから外部に露現している・・・主パッド部」について、「外部に」を削除して、「成形ハウジングから露現している・・・主パッド部」としたものであり、また、「成形ハウジングから外方に延在する部分と、その幅よりも大きい幅を有するボンディングパッド部とを備えた少なくとも二個の独立したピンと」について、「、その幅よりも大きい幅を有する」を削除するとともに、「備えた」を「有する」に替えて、「成形ハウジングから外方に延在する部分とボンディングパッド部とを有する少なくとも二個の独立したピンとからなり」にしたものであり、さらに、「前記ピンの間において前記成形ハウジングに形成したスロットからなり、」を削除したものである。
　そうすると、本願発明１の特定するために必要な事項を全て含み、さらに他の特定するために必要な事項を附加したものに相当する補正後の本願発明１が、上記「［２］（３）」に記載したとおり、引用例に記載された発明に基づいて当業者が容易に発明をすることができたものであるから、本願発明１についても、同様の理由により、引用例に記載された発明に基づいて当業者が容易に発明をすることができたものである。
　
［６］むすび
　以上のとおりであるから、本願発明１は、引用例に記載された発明に基づいて当業者が容易に発明をすることができたものであるから、特許法第２９条第２項の規定により特許を受けることができない。
　また、本願発明２〜９については、上記のとおり本願発明１が特許を受けることができないため、検討する必要を認めない。
　よって、結論のとおり審決する。